(57)【要約】  牽引車の三点連結機構のための荷重感知およびリフトシリンダ調節システムであって、制御システムおよび荷重設定システムと、リフトシリンダと流体接続する荷重感知比例弁の形態の荷重感知システムと、荷重感知比例弁および牽引車の油圧油供給源に接続された荷重感知ポンプを含む荷重調節システムとを含み、荷重感知システムが、リフトシリンダ内からの油圧によってリフトシリンダに対する荷重をモニターし、荷重が事前設定された荷重から降下した場合、荷重感知システムは荷重調節システムに信号を送り、荷重調節システムが油圧油供給源からリフトシリンダに油の方向を転換して事前設定された荷重を維持し、事前設定された荷重を超えた場合、荷重調節システムに信号が送信され、この荷重調節システムが、リフトシリンダから牽引車の油圧油供給源に戻るように油の方向を転換する。
2015534816.tif 000002
【特許請求の範囲】
【請求項１】
牽引車の三点連結機構のための荷重感知およびリフトシリンダ調節システムであって、
−  油圧油供給源と、
−  制御システムおよび荷重設定システムと、
−  リフトシリンダと流体接続する荷重感知比例弁の形態の荷重感知システムと、
−  前記荷重感知比例弁および前記牽引車の油圧油供給源に接続された荷重感知ポンプを含む荷重調節システムとを含み、
前記荷重設定システムが、牽引される用具を用いた作業を始める前に最初に前記用具に接続される際、前記三点連結機構のリフトシリンダに対して所望の荷重を事前設定することを可能にするように構成されており、ひとたび前記荷重設定システムが前記荷重を事前設定すると、前記荷重感知システムに事前設定された荷重が選択されたことが通知され、その後前記リフトシリンダ内からの油圧によって前記リフトシリンダに対する前記荷重をモニターし、
−  前記荷重が前記事前設定された荷重から降下した場合、前記荷重感知システムは前記荷重調節システムに信号を送信し、前記荷重調節システムが、油圧油供給源から前記リフトシリンダへと油の方向を転換して前記事前設定された荷重を維持し、
−  前記事前設定された荷重を超えた場合、前記荷重調節システムに信号が送信され、前記荷重調節システムが、前記リフトシリンダから前記牽引車の油圧油供給源へと戻るように油の方向を転換する、
牽引車の三点連結機構のための荷重感知およびリフトシリンダ調節システム。
【請求項２】
油圧の衝撃波を吸収することが可能な少なくとも１つの緩衝装置を含む、請求項１に記載の牽引車の三点連結機構のための荷重感知およびリフトシリンダ調節システム。
【請求項３】
前記制御システムが、ＰＬＣおよび荷重設定システムの形態であり、ＰＬＣおよび荷重設定システムは前記牽引車の運転室内に位置するユーザインターフェースを利用して前記制御システムに所望の荷重伝達情報を入力することを可能にする、請求項１または２に記載の三点連結機構のための荷重感知およびリフトシリンダ調節システム。
【請求項４】
前記荷重調節システムが、荷重感知比例弁および荷重感知ポンプと協働する指向性弁を有する、請求項３に記載の三点連結機構のための荷重感知およびリフトシリンダ調節システム。
【請求項５】
前記荷重感知システムが、荷重の変化および前記荷重の変化の大きさを検知する荷重感知比例弁である、請求項１から４のいずれか一項に記載の三点連結機構のための荷重感知およびリフトシリンダ調節システム。
【請求項６】
請求項１に記載の三点連結機構のための荷重感知およびリフトシリンダ調節システムを含む牽引車。
【請求項７】
牽引車の三点連結機構に対して使用されるリフトシリンダを制御する方法であって、
−  ひとたび用具が前記三点連結機構に接続されると、前記リフトシリンダに対して所望の荷重を設定するステップと、
−  荷重感知比例弁によって、前記用具を牽引する間前記リフトシリンダに対する荷重をモニターするステップと、
−  事前設定された荷重を維持するために必要であれば継続的に前記リフトシリンダを調節するステップと、
を含む方法。
【発明の詳細な説明】
【技術分野】
【０００１】
本発明は、荷重伝達における改良およびそれに関連する改良に関する。
【０００２】
本発明は、三点連結機構（連結部）によって、または単に牽引棒を介して牽引を履行する両タイプの牽引車に対して特定の用途を有する。
【背景技術】
【０００３】
重たい荷重を牽引する（引っ張る）際に牽引車が直面する主たる問題は、牽引車によって牽引される有効な荷重が、様々な地面の状態を横断する際に大幅に変動する可能性があり、牽引力が結果的に悪化する場合がある点である。このような変化する地面の状態の一部の非制限的な例には、
土と岩または石の多い地面、
乾燥した、ぬかるんだおよび／または湿った地面、
平坦および起伏した地面、あるいは
丘および平坦な地面、
が含まれ得る。
【０００４】
典型的には、異なる地面の状態における境界面において困難な問題に遭遇する。
【０００５】
用具を牽引する牽引車が遭遇する上記で考察した牽引力の低下には、何年にもわたって多くの様々な方法で対処するように努めており、これには牽引車にバラストを加える、ドラフト制御システムおよび自動式の性能管理システムが含まれる。しかしながらこれらのシステムはそれでもなお全て、以下に詳細に記載するようにそれぞれの欠点を有する。
【０００６】
バラスト
今日市場で入手可能な全ての従来式の牽引車は全てなおも、バラストの追加を必要とし、これは、牽引力を高めるために牽引車に加えられる「死」荷重（牽引車と牽引すべき荷重のサイズに応じて数トン以上ほどの）である。牽引力の低下に対抗するために牽引車がドラフト制御システムおよび自動管理システムに適合されるにも関わらず、牽引車に加えるべきバラストの必要性が残されたままである。理解されるように、牽引すべき荷重に加えて牽引車によって移動させる死荷重を追加することは、燃料経済性を有意に低下させることになる。
【０００７】
ドラフト制御
今日の新たな牽引車の大半はドラフト制御システムに適合され、これは、牽引される用具から生じるドラフトの増大を感知するセンサを利用し、ドラフトが増大した状況で三点連結部の連結アームを戻すように引っ張り、牽引力が低下している可能性を指摘する。ドラフトの増大に遭遇した際、ドラフト制御システムは、用具を地面からわずかに外れるように持ち上げることによって引っ張り力を軽減しようとする中で連結アームを持ち上げることによって反応する。しかしながら、ドラフト制御システムによるこのような反応は、ドラフト制御が牽引作業中に自動的に複数回連動した場合に持ち上げる反応を繰り返すことになるため、用具を地面から完全に持ち上げることになり、これは当然のことながら望ましいことではなく、結局のところ問題となる可能性がある。ドラフト制御システムに関する問題は、それが、ひとたびドラフトの低下に遭遇した際、反対に作動しアームを下げることができない点である。それは一方向のシステムである。
【０００８】
自動管理システム
自動管理システムは、車輪速度と、真の対地速度とをモニターすることによって車輪のすべりを感知する。車輪速度と、真の対地速度との差が１０〜１５％である場合、システムは、これを車輪のすべりが生じた事態として認識し、持ち上げアームを作動させ用具を地面からわずかに持ち上げてドラフトを低下させる。しかしながらこのようなシステムは、以下の理由により実際には信頼できないことは周知である。
−受けるドラフトが大きいと、車輪のすべりが検知されたとき（すなわち速度の差が１０〜１５％であるとき）では遅すぎる場合がある。
−典型的には、システムが大きなドラフトによって過剰に補償され、結局は用具を地面から完全に持ち上げることになる。
−車輪がすべる事態が生じると、用具を下げるようにはシステムのギアが入らない。
【先行技術文献】
【特許文献】
【０００９】
【特許文献１】国際公開第２０１１／０２５３９２号パンフレット
【発明の概要】
【発明が解決しようとする課題】
【００１０】
本発明の目的は、上記の問題に対処すること、または有効な選択肢を広く提供することである。
【課題を解決するための手段】
【００１１】
本明細書において引用される全ての特許または特許出願を含めた全ての参考文献は、参照により本明細書に組み込まれる。任意の参考文献が従来技術を構成することは認められていない。参考文献の考察は、それぞれの筆者が権利を主張するものを述べており、出願人は、引用される文献の正確性や適切性に異議を唱える権利を保有している。いくつかの従来技術の刊行物が本明細書に参照されているが、このような参考文献は、これらの文献のいずれかが、ニュージーランドにおいて、および任意の他の国において当分野における共通の一般的な知識の一部を形成することの承認を成すものではないことは明らかに理解されるであろう。
【００１２】
本明細書を通して、単語「備える（ｃｏｍｐｒｉｓｅ）」またはその変形形態、例えば「備える（ｃｏｍｐｒｉｓｅｓ）」または「備えている（ｃｏｍｐｒｉｓｉｎｇ）」は、提示される要素、整数またはステップあるいは、要素、整数またはステップの群を包含するが、任意の他の要素、整数またはステップ、あるいは要素、整数またはステップの群を排除しないことを暗に示すように理解されるであろう。
【００１３】
本発明のさらなる態様および利点は、一例として提示される後に続く記載から明らかになるであろう。
【００１４】
定義
本明細書で使用される用語「引っ張り棒」は、牽引を可能にするために牽引車の牽引棒に取り付けるのに使用される牽引される用具の前方にある梁を指している。
本明細書で使用される用語「牽引棒」は、牽引するために使用される牽引車の背面にある棒を指している。
本明細書で使用される用語「三点連結機構」は、
−当分野でよく知られる牽引車の後方にある従来の三点連結機構、
−本明細書の図３に開示され、特許文献１にも詳細に開示される牽引車の前方からも引っ張るように改造された牽引棒のみの牽引車
を指している。
【００１５】
本発明の一態様によって、牽引車の三点連結機構のための荷重感知およびリフトシリンダ調節システムが提供され、荷重感知およびリフトシリンダ調節システムは、
−  油圧油供給源と、
−  制御システムおよび荷重設定システムと、
−  リフトシリンダと流体接続する荷重感知比例弁の形態の荷重感知システムと、
−  荷重感知比例弁および牽引車の油圧油供給源に接続された荷重感知ポンプを含む荷重調節システムとを含み、
荷重設定システムは、牽引される用具を用いた作業を始める前に最初にその用具に接続される際、三点連結機構のリフトシリンダに対して所望の荷重を事前設定することを可能にするように構成されており、ひとたび荷重設定システムが荷重を事前設定すると、荷重感知システムに事前設定された荷重が選択されたことが通知され、その後リフトシリンダ内からの油圧によってリフトシリンダに対する荷重をモニターし、
−  荷重が事前設定された荷重から降下した場合、荷重感知システムは荷重調節システムに信号を送信し、荷重調節システムが、油圧油供給源からリフトシリンダへと油の方向を転換して事前設定された荷重を維持し、
−  事前設定された荷重を超えた場合、荷重調節システムに信号が送信され、荷重調節システムが、リフトシリンダから牽引車の油圧油供給源へと戻るように油の方向を転換する。
【００１６】
本発明の別の態様によれば、実質的に上記に記載するように牽引車の三点連結機構のための荷重感知およびリフトシリンダ調節システムが提供され、このシステムは、油圧の衝撃波を吸収することが可能な少なくとも１つの緩衝装置を含む。
【００１７】
本発明の別の態様によれば、実質的に上記に記載するように三点連結機構のための荷重感知およびリフトシリンダ調節システムが提供され、制御システムは、ＰＬＣおよび荷重設定システムの形態であり、ＰＬＣおよび荷重設定システムは牽引車の運転室内に位置するユーザインターフェースを利用して制御システムに所望の荷重伝達情報を入力することを可能にする。
【００１８】
本発明の別の態様によれば、実質的に上記に記載するように三点連結機構のための荷重感知およびリフトシリンダ調節システムが提供され、荷重調節システムは、荷重感知比例弁および荷重感知ポンプと協働する指向性弁を有する。
【００１９】
本発明の別の態様によれば、実質的に上記に記載するように三点連結機構のための荷重感知およびリフトシリンダ調節システムが提供され、荷重感知システムは、荷重の変化および荷重の変化の大きさを検知する荷重感知比例弁である。
【００２０】
本発明の別の態様によれば、実質的に上記に記載するように三点連結機構のための荷重感知およびリフトシリンダ調節システムを含む牽引車が提供される。
【００２１】
本発明の別の態様によれば、牽引車の三点連結機構に対して使用されるリフトシリンダを制御する方法が提供され、この方法は、
−  ひとたび用具が三点連結機構に接続されると、リフトシリンダに対して所望の荷重を設定するステップと、
−  荷重感知比例弁によって、用具を牽引する間リフトシリンダに対する荷重をモニターするステップと、
−  事前設定された荷重を維持するために必要であれば継続的にリフトシリンダを調節するステップと、
を含む。
【００２２】
本発明のさらなる態様は、単に一例としてかつ添付の図面を参照して提示される以下の記載から明らかになるであろう。
【図面の簡単な説明】
【００２３】
【図１】本発明の好ましい一実施形態による牽引車の三点連結機構のための荷重感知およびリフトシリンダ調節システムの概略図である。
【図２Ａ】図１に示されるシステムの作用を例示する、牽引される用具を牽引し、地面にある隆起の上を進む牽引車の概略図である。
【図２Ｂ】図１に示されるシステムの作用を例示する、牽引される用具を牽引し、地面にあるくぼみの上を進む牽引車の概略図である。
【図３】後部リフトシリンダを含み、本発明を利用することができる牽引車の前方からも引っ張るように改造された牽引棒のみを備えて販売されている牽引車の概略図である。
【発明を実施するための形態】
【００２４】
本発明の荷重感知およびリフティングシリンダ調節システムは、以下のシステムで構成される。
【００２５】
まず、制御システムはＰＬＣおよび荷重設置システムの形態であり、これは通常牽引車の運転室に位置するユーザインターフェース（制御パネル）を利用することで、所望の荷重伝達情報を制御システムに入力することを可能にする。
【００２６】
第２に、荷重調節システムは、荷重感知比例弁および荷重感知ポンプと協働する指向性弁を有する。
【００２７】
第３に、荷重感知比例弁の形態である荷重感知システムは、荷重の変化および荷重の変化の大きさを検知する。
【００２８】
これら３つのシステムを次に図面に関連してより詳細に記載する。
【００２９】
図１に関して、矢印１によって全体的に示される牽引車の三点連結機構のための荷重感知およびリフティングシリンダ調節システム（ＬＡＳ）が提供される。
【００３０】
ＬＡＳ１は、スプールタイプの指向性弁２を介して牽引車の三点連結機構の油圧システムに統合される。指向性弁２は、入口ポート（図示せず）において油圧供給ライン（ホース）３に接続され、この油圧供給ラインは、牽引車（図示せず）の後方において、牽引車の油圧流体供給源１００から荷重感知ポンプ１０１を介して（三点連結機構（図示せず）の）油圧式リフトアーム（水圧ラムまたはシリンダ）１０２に油圧流体を供給する。指向性弁２はまた、リフトアーム供給ライン４に接続された第１の入口／出口ポート（図示せず）を有し、この供給ライン４は、入口／出口ポート５を介してリフトアーム１０２に有効に接続される。
【００３１】
指向性弁２は、関連するソレノイド６によって作動される。ソレノイド６は、制御システムＰＬＣおよび牽引車の運転室（図示せず）内のユーザインターフェース（図示せず）に接続される。ユーザインターフェースによって、運転者（図示せず）がＬＡＳ１を始動させ、牽引される用具（図示せず）から牽引車に伝達すべき所望の重量を設定することが可能になり、この時点で制御システムＰＬＣは、ＬＡＳ１の全体の作動を管理する。
【００３２】
ソレノイド６は、指向性弁２を作動させて流体を
−入口／出口ポート（図示せず）およびリフト供給ライン４を介してリフトアームへ、または
−第２の入口／出口ポート（図示せず）および荷重感知比例（ＬＳＰ）弁８に接続される第２の入口／出口ライン７を介して荷重感知比例（ＬＳＰ）弁８へのいずれかに誘導する。
【００３３】
ＬＳＰ弁８もまた、関連するソレノイド９によって作動され、このソレノイドもやはり、制御システム（図示せず）に接続され制御システムによって始動される。窒素蓄積装置１０の形態の緩衝装置が、油圧側分岐ライン１１を経由して油圧ライン７に接続される。窒素蓄積装置１０によって、ＬＡＳ１が、牽引される荷重における急速な変化に起因して油圧流体中で受けるいかなる衝撃も吸収することが可能になる。
【００３４】
ＬＳＰ弁８は、第１の入口／出口ポート（図示せず）を有し、このポートは、上記に挙げたようにライン７を介してＬＳＰ弁を指向性弁に接続する。加えてＬＳＰ弁８は入口ライン１２を有し、このラインは、荷重感知ポンプ１０１からＬＳＰ弁８に油圧流体を供給する。ライン１２はまた、離れて行く分岐ライン１３を有し、この分岐ラインは、ＬＳＰ弁が入口ライン１２を遮断する際、荷重感知ポンプ１０１を介して高圧の油圧流体を牽引車のシステムへと供給する。加えて、ＬＳＰ弁８はまた、出口ポート（図示せず）と、関連するライン１７とを有し、このラインは、指向性弁２から受け取った油圧流体の方向を、リフトシリンダ１０２の過圧状態において牽引車の油圧流体供給源１００へと向け直すことができる。
【００３５】
荷重感知ポンプ１０１はまた、従来より牽引される用具に油圧流体を提供するのに利用することができる追加の供給ポート（図示せず）を有し、この用具は油圧式の装備をそこに有する。本発明において、荷重感知供給ライン１４は、ポンプ１０１にある追加の供給ポートに接続され、これは、ボール弁１５の形態のプライオリティ弁を介してＬＳＰ弁８に接続される。ボール弁１５は、牽引車供給ライン１６に接続されるポート（図示せず）を有する。ボール弁１５は、例えばブレーキやステアリングなどの牽引車に必須の設備が、加圧された油圧流体を必要とする場合を感知し、このような状況において優先事項として油圧流体の方向をライン１６に転換する。油圧流体が必須の設備に必要とされなくなるときまで、ライン１６への流体はＬＡＳ１に加圧油圧流体を供給するよりも優先されることを条件とする。
【００３６】
実際、必須の設備に対する油圧流体の分岐は、必須の設備によって油が必要とされるのは典型的に大抵の通常の状況において最大でも１から３秒ほどの間必要とされるだけであるためＬＡＳ１の作動に影響を及ぼすことはない。必須の設備が追加の加圧油圧流体をより長期間にわたって必要とした場合、このとき牽引車は深刻な状況にあり、この場合、通常の牽引作業は、恐らく優先度が低いことが理解されるであろう。
【００３７】
以下の記載は、図２Ａおよび図２Ｂに描かれる２つのシナリオの各々において図１のＬＡＳが実際にどのように作動するかを詳細に記載している。
【００３８】
図２Ａおよび図２Ｂにおいて、三点連結機構１００２によって地面で作業する用具１００１を牽引する牽引車１０００が設けられている。三点連結機構は、牽引される用具１００１に接続される上部連結アーム１００３を有する。一対の油圧式リフトシリンダ１００４（その一方のみを見ることができる）が、それぞれの底部において牽引車１０００の後部に固定式に設置されている。各々のシリンダ１００４は、リフトアーム１０１０に枢動式に接続されたそれぞれのピストンロッドの遠位端を有し、リフトアーム１０１０は、リフトロッド１０１１に枢動式に接続され当分野で知られるようにリフトシリンダ１００４を下部連結アーム１００５に有効に接続する。
【００３９】
牽引車が隆起１００６の上を進む際、リフトシリンダ１００４は下向きの力Ｘを受け、これはリフトシリンダ１００４内の油圧流体の圧力を増大させる。シリンダ１００４内の圧力はこのとき、用具を牽引車に取り付けた後にユーザが最初に選択した事前設定された荷重伝達圧力を超えるため、これはＬＳＰ弁８によって感知される。制御システム（図示せず）はＬＳＰからこの情報を受け取ると、ソレノイド６、９を指向性弁２およびＬＳＰ弁８に対してそれぞれ作動させることで、シリンダからの油圧流体をライン１７を介して牽引車１００の油圧流体供給源に戻るように誘導する。これによりリフトシリンダ１００４内の圧力を、それが事前設定されたシリンダ圧に達するまで低下させる。
【００４０】
牽引車が地面にあるくぼみ１００７に入るように進む場合、リフトシリンダ１００４は、リフトシリンダ１００４内の油圧流体の圧力を下げる上向きの力Ｙを受ける。シリンダ１００４内の圧力はこのとき、用具を牽引車に取り付けた後にユーザが最初に選択した事前設定された荷重伝達圧力を下回るため、これはＬＳＰ弁８によって感知される。制御システム（図示せず）はＬＳＰからこの情報を受け取ると、ソレノイド６、９を指向性弁２およびＬＳＰ弁８に対してそれぞれ作動させ、荷重感知ポンプ１０１が加圧された油圧流体を牽引車の油圧流体供給源からリフトシリンダ１００４に注入することを可能にする。これはＬＳＰ弁８によって検知されるように、リフトシリンダ１００４内の圧力が事前設定されたシリンダ圧に達するまで行なわれる。
【００４１】
図３において、三点連結機構は持たないが、代わりに牽引棒２００１のみを利用して用具の引っ張り棒２００３を介して農業用具２００２を引っ張る牽引車２０００が示される。この牽引車は、牽引車２０００の後方にその底部において設置されたリフトシリンダ２００４を含むように改造されている。牽引車２０００はまた、牽引車２０００の後方に枢動式に取り付けられるリフトアーム２００５を含み、そこに対してシリンダ２００４のピストンロッドが枢動式に接続されるように改造されている。この牽引車２０００はまた、
−図１のＬＡＳ１（図示せず）を含むように、および
−牽引される用具から牽引車２０００の前方に荷重を伝達する鎖２００６を有する出願人の先の特許出願（特許文献１）の荷重伝達機構を含むように改造されている。
【００４２】
実施例１
本実施例において、ユーザは、牽引車の三点連結部に連結された鋤を有する。この用具がひとたび三点連結部に取り付けられると、ユーザは、図１のＬＡＳ１のスイッチを入れることができる。
【００４３】
これは、指向性弁およびＬＳＰ弁のソレノイドに通電する。ＬＡＳがユーザによって始動される前は、指向性弁は簡素な一方向弁として作用し、牽引車の通常のドラフト制御システムを介して油圧流体をリフトシリンダに供給することのみを可能にする。
【００４４】
しかしながらＬＡＳがひとたび始動されると、制御システムが指向性弁の制御を引き継ぎ、一方向弁は作動しなくなる。ソレノイドはこのとき、制御システムから受信した指示に従って弁を始動させる。
【００４５】
最初、ＬＡＳは、ユーザによって選択された圧力に達するまで荷重感知ポンプを介して流体をリフトシリンダに誘導するように、指向性弁およびＬＳＰ弁に指示する。この時点で、ＬＳＰ弁は荷重感知ポンプからの供給ラインを遮断する。指向性弁とＬＳＰ弁はなおも流体連通しているため、ラインを介してＬＳＰは、リフトシリンダ圧をモニターすることができる。
【００４６】
例えば、ユーザが、リフトシリンダに対して８００ｐｓｉの圧力を選択した場合、このとき制御システムは、ソレノイドをＬＳＰ弁に対して作動させ、その結果荷重感知ポンプが、上記に述べたようにこの圧力に達するまで油圧流体をリフトシリンダに注入することになる。
【００４７】
その後牽引作業において、ＬＳＰ弁がリフトシリンダ内で８００ｐｓｉの圧力を超えたことを感知した場合、制御システムは、シリンダ内の標的である８００ｐｓｉの圧力に達するまで、ＬＳＰ弁に関連するソレノイドを作動させ流体を牽引車の油圧流体供給源に戻るように誘導する。
【００４８】
しかしながら牽引作業において、ＬＳＰが８００ｐｓｉの圧力の中で低下を感知した場合、制御システムは、ＬＳＰ弁に関連するソレノイドを作動させ、シリンダ内の８００ｐｓｉの圧力が再び達成されるまで、荷重感知ポンプがシリンダに流体を注入することを可能にする。
【００４９】
本発明を実施するための代替の方法の詳細な考察
制御システムは、任意の好適なＰＬＳであってよく、荷重設定システムは、ユーザが荷重伝達設定値を選択することを可能にするためにＰＬＣに有効に接続された任意の好適なユーザインターフェースであってよい。
【００５０】
制御システムおよび荷重設定システムは、スクリーンまたは他の視覚的な指示デバイスを含むことで、牽引される用具から牽引車に伝達される荷重および／または用具を牽引する間リフトシリンダが維持される圧力を表示することができる。
【００５１】
荷重感知システムは、三点連結機構のリフトシリンダに結合された荷重感知比例弁を含むことができる。
【００５２】
荷重感知比例弁は、本発明の範囲から逸脱することなく種々の異なる形態で提供される場合がある。
【００５３】
一実施形態において、荷重感知比例弁は、制御システムによって制御され、荷重感知比例弁を作動するのに使用されるソレノイドを含む場合がある。
【００５４】
荷重調節システムは、荷重感知ポンプに結合された荷重感知比例弁に結合された（すなわちそれと流体連通する）指向性弁を含む場合がある。
【００５５】
指向性弁は、本発明の範囲から逸脱することなく油圧流体の流れを制御するために種々の異なる構成を有する場合がある。例えば指向性弁は、
−スプールタイプの指向性弁
−ポペットタイプの指向性弁
−回転式の指向性弁
から選択されてよい。
しかしながらこのリストは、限定するものとして理解すべきではない。
【００５６】
一実施形態において、指向性弁は、制御システムによって制御され指向性弁を作動するのに使用されるソレノイドを含む場合がある。
【００５７】
荷重感知ポンプは、牽引車の既存の油圧システム内にある荷重感知ポンプであってよい。
【００５８】
荷重感知ポンプは、加圧された油の回路によってスタンドを形成するために荷重感知比例弁に接続される場合があり、これは、３００ｐｓｉの一定の圧力で回路を回る油圧流体の流れを維持する。荷重感知ポンプは、この加圧された流体回路が弁のデフォルトの構成であるように構成されてよい。加圧された流体回路は、リフトシリンダ内の圧力降下が検出されたり、加圧された流体回路内に含まれるボールプライオリティ弁が、最優先事項として流体を牽引車のブレーキまたは操縦、あるいは他の必須の油圧式設備に再度向ける必要があることが検知されない限り、常に作動している状態である。
【００５９】
本発明の好ましい実施形態は、従来技術に対していくつかの利点を有する可能性があり、これは以下を含むことができるが、これに限定すべきではない。
−何分の１秒内でリフトシリンダ圧の事前設定圧力からのいかなる変化も感知する能力。
−何分の１秒内でリフトシリンダ圧のいかなる変化にも反応する能力。
−一定の牽引荷重を維持するためにリフトシリンダを有効に上下させる能力。
【００６０】
本発明の態様は、一例としてのみ記載されており、添付の特許請求の範囲に規定されるその範囲から逸脱することなく、これに対して修正および追加を行なうことができることを理解されたい。
【符号の説明】
【００６１】
１  荷重感知およびリフトシリンダ調節システム
３  油圧供給ライン
４  リフトアーム供給ライン
５  入口／出口ポート
６  ソレノイド
７  入口／出口ライン
８  ＬＳＰ弁
９  ソレノイド
１０  窒素蓄積装置
１１  油圧側分岐ライン
１２  入口ライン
１３  分岐ライン
１４  荷重感知供給ライン
１５  ボール弁
１６  牽引車供給ライン
１００  牽引車の油圧流体供給源
１０１  荷重感知ポンプ
１０２  リフトアーム
１０００，２０００  牽引車
１００１  用具
１００２  三点連結機構
１００３  上部連結アーム
１００４，２００４  リフトシリンダ
１００５  下部連結アーム
１００６  隆起
１００７  くぼみ
１０１０，２００５  リフトアーム
２００１  牽引棒
２００２  農業用具
２００３  引っ張り棒
【図１】
2015534816.tif 000003
【図２Ａ】
2015534816.tif 000004
【図２Ｂ】
2015534816.tif 000005
【図３】
2015534816.tif 000006
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
牽引車の三点連結機構のための荷重感知およびリフトシリンダ調節システムであって、
− 油圧油供給源と、
− 荷重の設定を可能にするＰＬＣの形態の制御システムと、
− 指向性弁を介してリフトシリンダと流体接続する荷重感知比例弁の形態の荷重感知システムと、
− 前記荷重感知比例弁および前記牽引車の油圧油供給源に接続された荷重感知ポンプを含む荷重調節システムとを含み、
前記荷重設定システムが、牽引される用具を用いた作業を始める前に最初に前記用具に接続される際、前記三点連結機構のリフトシリンダに対して所望の荷重を事前設定することを可能にするように構成されており、ひとたび前記荷重設定システムが前記荷重を事前設定すると、前記荷重感知システムに事前設定された荷重が選択されたことが通知され、その後前記リフトシリンダ内からの油圧によって前記リフトシリンダに対する前記荷重をモニターし、
− 前記荷重が前記事前設定された荷重から降下した場合、前記荷重感知システムは前記荷重調節システムに信号を送信し、前記荷重調節システムが、油圧油供給源から前記リフトシリンダへと油の方向を転換して前記事前設定された荷重を維持し、
− 前記事前設定された荷重を超えた場合、前記荷重調節システムに信号が送信され、前記荷重調節システムが、前記リフトシリンダから前記牽引車の油圧油供給源へと戻るように油の方向を転換する、
牽引車の三点連結機構のための荷重感知およびリフトシリンダ調節システム。
【請求項２】
油圧の衝撃波を吸収することが可能な少なくとも１つの緩衝装置を含む、請求項１に記載の牽引車の三点連結機構のための荷重感知およびリフトシリンダ調節システム。
【請求項３】
前記制御システムが、ＰＬＣおよび荷重設定システムの形態であり、ＰＬＣおよび荷重設定システムは前記牽引車の運転室内に位置するユーザインターフェースを利用して前記制御システムに所望の荷重伝達情報を入力することを可能にする、請求項１または２に記載の三点連結機構のための荷重感知およびリフトシリンダ調節システム。
【請求項４】
前記荷重調節システムが、荷重感知比例弁および荷重感知ポンプと協働する指向性弁を有する、請求項３に記載の三点連結機構のための荷重感知およびリフトシリンダ調節システム。
【請求項５】
前記荷重感知システムが、荷重の変化および前記荷重の変化の大きさを検知する荷重感知比例弁である、請求項１から４のいずれか一項に記載の三点連結機構のための荷重感知およびリフトシリンダ調節システム。
【請求項６】
請求項１に記載の三点連結機構のための荷重感知およびリフトシリンダ調節システムを含む牽引車。
【請求項７】
牽引車の三点連結機構に対して使用されるリフトシリンダを制御する方法であって、
− ひとたび用具が前記三点連結機構に接続されると、前記リフトシリンダに対して所望の荷重を設定するステップと、
− 荷重感知比例弁によって、前記用具を牽引する間前記リフトシリンダに対する荷重をモニターするステップと、
− 事前設定された荷重を維持するために必要であれば継続的に前記リフトシリンダを調節するステップと、
を含む方法。
【国際調査報告】
2015534816.tif 000007
2015534816.tif 000008
2015534816.tif 000009